(57)【要約】【課題】展示商品を無造作に戻したときでも、自動的に所定位置に所望姿勢で展示できるように構成した商品展示装置を提供する。【解決手段】固定設置される据付け手段(1)と商品を背部から保持する保持手段(3)を索条で連繋し、相互に挿脱自在なソケット手段(7)とプラグ手段(8)を相対向して突設し、前記ソケット手段(7)の受孔(15)と前記プラグ手段(8)の突部(19)を挿脱自在なテーパ形状に形成している。前記受孔(15)と突部(19)は、ソケット手段とプラグ手段を軸心廻りの所定位置に整合させた状態で嵌合するように横断面を非真円形とした嵌合周面(32,33)を設けており、前記ソケット手段とプラグ手段を所定位置から軸心廻りに偏位した状態で挿入したとき、ソケット手段(7)とプラグ手段(8)の相対位置を所定位置(P1)に向けて回動させる姿勢制御手段(34)を構成する。【選択図】図３
2013042787.tif 000002
【特許請求の範囲】
【請求項１】
固定設置される据付け手段(1)と、商品を背部から保持する保持手段(3)と、前記保持手段を前記据付け手段に繋留する索条(5)を有する索条機構(6)を備え、前記保持手段を据付け手段に着脱自在に搭載して成る構成において、
前記据付け手段(1)と保持手段(3)の相互に、挿脱自在なソケット手段(7)とプラグ手段(8)を相対向して突設し、前記ソケット手段(7)に開口部から奥端部に向けて次第に径小とされたテーパ状の受孔(15)を設け、前記プラグ手段(8)に基部から先端部に向けて次第に径小とされたテーパ状の突部(19)を設けており、
前記受孔(15)と突部(19)の相互間に、ソケット手段とプラグ手段を軸心廻りの所定位置に整合させた状態で嵌合するように横断面を楕円形又は多角形から選ばれた非真円形に形成した嵌合周面(32,33)を設けており、
前記ソケット手段とプラグ手段を所定位置から軸心廻りに偏位した状態で相互に挿入したとき、前記嵌合周面(32,33)によりソケット手段(7)とプラグ手段(8)の相対位置を所定位置(P1)に向けて回動させる姿勢制御手段(34)を構成して成ることを特徴とする商品展示装置。
【請求項２】
前記索条機構(6)は、巻取力を蓄積したリール(25)に巻回された索条(5)を介して前記保持手段(3)を据付け手段(1)に向けて牽引力を与えられた状態で連結し、前記巻取力に抗して索条(5)を繰出すことにより保持手段(3)を据付け手段(1)から引き離し可能とするように構成されて成ることを特徴とする請求項１に記載の商品展示装置。
【請求項３】
前記ソケット手段(7)とプラグ手段(8)が横軸(X)に沿う横向き姿勢となるように配置され、前記商品の重量による下向き荷重を相互に嵌合された受孔と突部の嵌合周面(32,33)に作用するように構成されており、
前記受孔(15)の奥端部と前記突部(19)の先端部の相互に、前記下向き荷重に対抗する方向に向けて係合する係合手段(39)を設け、該係合手段により、前記下向き荷重による嵌合周面(32,33)の摺動を防止するように構成して成ることを特徴とする請求項１又は２に記載の商品展示装置。
【請求項４】
前記ソケット手段(7)とプラグ手段(8)が横軸(X)に沿う横向き姿勢となるように配置され、前記商品の重量による下向き荷重を相互に嵌合された受孔と突部の嵌合周面(32,33)に作用するように構成されており、
前記受孔と突部の嵌合周面(32,33)が離反することにより、前記荷重によりソケット手段(7)とプラグ手段(8)が相互に屈折姿勢とされたとき、相互に近接する突部(19)と受孔(15)の対向部位を相互に抜止め係止する係止手段(35)を設けて成ることを特徴とする請求項１、２又は３に記載の商品展示装置。
【請求項５】
前記係止手段(35)は、弾力を保持して係脱自在に係止する弾性係止手段を構成し、前記弾力に抗してソケット手段(7)とプラグ手段(8)を離反させたとき該係止手段(35)の係止を解くように構成されて成ることを特徴とする請求項４に記載の商品展示装置。
【発明の詳細な説明】
【技術分野】
【０００１】
本発明は、デジタルカメラや、スマートフォン又はタブレット端末機器その他の携帯端末機器等の商品を販売店等の店舗において展示するための商品展示装置に関する。
【背景技術】
【０００２】
従来、例えば、デジタルカメラやスマートフォン等の商品は、店舗において顧客が手を触れながら商品を吟味できるように展示されている。
【０００３】
商品の展示に際しては、見栄え良く保持した状態で展示すると共に、顧客が自由に手にとって吟味できることが必要であるが、万引き等により持ち去られないように、盗難防止対策が求められる。
【０００４】
このため、従来、商品をワイヤー等の盗難防止用索条により繋留した状態で展示しており、電源が必要な商品については、電源ケーブル等により前記索条を兼用させている。
【先行技術文献】
【特許文献】
【０００５】
【特許文献１】特開２００１−３１２７７９号公報
【特許文献２】実用新案登録第３０７３８６５号公報
【発明の概要】
【発明が解決しようとする課題】
【０００６】
上述のような商品を展示するための装置は、店舗における卓上や壁面に固定設置される据付け手段と、商品を背部から保持する保持手段と、前記保持手段を前記据付け手段に繋留する索条により構成し、前記保持手段を据付け手段に着脱自在に搭載することにより展示するように構成することが好ましい。
【０００７】
これによれば、保持手段を据付け手段に搭載することにより商品を見栄え良く展示することができ、しかも、顧客が保持手段を据付け手段から引き離すことにより商品を手にとることができる。そして、保持手段は索条により据付け手段に繋留されているので、顧客が無断で商品を持ち去ることを防止できる。
【０００８】
しかしながら、顧客が手にとった商品を元の位置に戻す際、保持手段を据付け手段の所定位置に所望姿勢で搭載できないと、商品の展示姿勢が見栄えの悪い状態となるので、その都度、店員等が商品の展示姿勢を整える必要があり、店員等に煩雑な作業を強いるという問題がある。
【０００９】
この点に関して、保持手段と据付け手段の間に位置決め用の永久磁石を設ければ、前記問題を解決できるが、デジタルカメラやスマートフォン等の電子機器を対象とする商品は、磁石がトラブルの原因となるため、好ましくない。しかも、磁石が働く位置に保持手段が戻されないときは、保持手段が据付け手段に搭載できないだけでなく、据付け手段から脱落してしまう問題がある。
【００１０】
本発明は、磁石を使用せず、専ら機械的構造により構成しながら、保持手段を据付け手段に対して無造作に戻したときでも、自動的に所定位置に所望姿勢で搭載することができ、しかも、万一、良好に搭載されていない場合でも、保持手段を据付け手段から脱落しないように構成した商品展示装置を提供するものである。
【課題を解決するための手段】
【００１１】
そこで、本発明が手段として構成したところは、固定設置される据付け手段と、商品を背部から保持する保持手段と、前記保持手段を前記据付け手段に繋留する索条を有する索条機構を備え、前記保持手段を据付け手段に着脱自在に搭載して成る構成において、前記据付け手段と保持手段の相互に、挿脱自在なソケット手段とプラグ手段を相対向して突設し、前記ソケット手段に開口部から奥端部に向けて次第に径小とされたテーパ状の受孔を設け、前記プラグ手段に基部から先端部に向けて次第に径小とされたテーパ状の突部を設けており、前記受孔と突部の相互間に、ソケット手段とプラグ手段を軸心廻りの所定位置に整合させた状態で嵌合するように横断面を楕円形又は多角形から選ばれた非真円形に形成した嵌合周面を設けており、前記ソケット手段とプラグ手段を所定位置から軸心廻りに偏位した状態で相互に挿入したとき、前記嵌合周面によりソケット手段とプラグ手段の相対位置を所定位置に向けて回動させる姿勢制御手段を構成して成る点にある。
【００１２】
前記索条機構は、巻取力を蓄積したリールに巻回された索条を介して前記保持手段を据付け手段に向けて牽引力を与えられた状態で連結し、前記巻取力に抗して索条を繰出すことにより保持手段を据付け手段から引き離し可能とするように構成することが好ましい。
【００１３】
本発明の好ましい実施形態は、前記ソケット手段とプラグ手段が横軸に沿う横向き姿勢となるように配置され、前記商品の重量による下向き荷重を相互に嵌合された受孔と突部の嵌合周面に作用するように構成されており、前記受孔の奥端部と前記突部の先端部の相互に、前記下向き荷重に対抗する方向に向けて係合する係合手段を設け、該係合手段により、前記下向き荷重による嵌合周面の摺動を防止するように構成している。
【００１４】
本発明の更に好ましい実施形態は、前記受孔と突部の嵌合周面が離反することにより、前記荷重によりソケット手段とプラグ手段が相互に屈折姿勢とされたとき、前記横軸の上方に位置して相互に近接する突部の先端部と受孔の開口部を相互に抜止め係止する係止手段を設けている。
【００１５】
この際、前記係止手段は、弾力を保持して係脱自在に係止する弾性係止手段を構成し、前記弾力に抗してソケット手段とプラグ手段を離反させたとき該係止手段の係止を解くように構成することが好ましい。
【発明の効果】
【００１６】
本発明によれば、磁石を使用せず、専ら機械的構造により構成しながら、保持手段３を据付け手段１に対して無造作に戻したときでも、自動的に所定位置に所望姿勢で搭載することができ、しかも、万一、良好に搭載されていない場合でも、保持手段３を据付け手段１から脱落しないように構成した商品展示装置を提供することが可能となる。
【図面の簡単な説明】
【００１７】
【図１】本発明の１実施形態に関して、据付け手段と、ソケット手段と、プラグ手段を備えた保持手段を分解した状態で示す斜視図である。
【図２】本発明の１実施形態に関して、据付け手段を分解すると共に、保持手段に盗難警報装置を組み付けた状態を示す斜視図である。
【図３】本発明の１実施形態に関して、壁面に固定設置した据付け手段のソケット手段に対し、商品を保持した保持手段のプラグ手段を挿入嵌合した状態を示す断面図である。
【図４】本発明の１実施形態の作用に関して、保持手段を据付け手段から引き離した状態を示す断面図である。
【図５】本発明の１実施形態の作用に関して、保持手段を据付け手段に搭載するときの状態を示す断面図である。
【図６】ソケット手段とプラグ手段の嵌合周面により構成した姿勢制御手段の第１実施例を示しており、（Ａ）は姿勢制御の作用を示す断面図、（Ｂ）は姿勢制御後に嵌合周面が嵌合された状態を示す断面図である。
【図７】ソケット手段とプラグ手段の嵌合周面により構成した姿勢制御手段の第２実施例を示しており、（Ａ）は姿勢制御の作用を示す断面図、（Ｂ）は姿勢制御後に嵌合周面が嵌合された状態を示す断面図である。
【図８】係止手段の１実施例を示しており、（Ａ）はソケット手段に対して下向き荷重により滑動したプラグ手段が抜止め係止された状態を示す断面図、（Ｂ）は係止手段を示す拡大断面図である。
【図９】係止手段に構成した弾性係止手段の１実施例を示しており、（Ａ）はソケット手段に対してプラグ手段が引き抜き方向に係止された状態を示す断面図、（Ｂ）は係止手段を示す拡大断面図、（Ｃ）は弾力に抗して係止手段の係止が解かれた状態を示す拡大断面図である。
【図１０】係合手段の１実施例を示しており、（Ａ）は相互に挿入されたソケット手段とプラグ手段の間において係合手段が係合された状態を示す断面図、（Ｂ）は係合手段を示す拡大断面図である。
【発明を実施するための形態】
【００１８】
以下図面に基づいて本発明の好ましい実施形態を詳述する。
【００１９】
本発明の商品展示装置は、デジタルカメラや、スマートフォン又はタブレット端末機器その他の携帯端末機器等のような主として電子機器を対象とした商品を店舗において展示するために使用されるものであり、その分解状態を図１及び図２に示し、組み立て使用状態を図３に示している。
【００２０】
図示のように、本発明の１実施形態は、店舗内の卓上や壁面等に固定設置される据付け手段１を構成するハウジング２と、商品Ｍを背部から保持する保持手段３を構成するケーシング４と、前記保持手段３を前記据付け手段１に繋留するワイヤーケーブル等の索条５を有する索条機構６と、前記保持手段３を据付け手段１に着脱自在に搭載するためのソケット手段７及びプラグ手段８を備えており、好ましくは、ハウジング２、ケーシング４、ソケット手段７、プラグ手段８を合成樹脂製としている。
【００２１】
前記据付け手段１を構成するハウジング２は、図２及び図３に示すように、フランジ板９の反対側の開口部を合成樹脂製の蓋部材１０により開閉自在に閉蓋され、該ハウジング２の内部に、ＵＳＢアダプター等の電源手段１１と、前記索条機構６を構成する合成樹脂製の巻取りハウジング１２を内装しており、前記フランジ板９を介して卓上や壁面等に固定設置される。図３に示す使用例の場合、店舗内における仕切壁や什器の側壁等の壁面Ｗにハウジング２を埋入した状態で、フランジ板９をビス１３等により壁面Ｗに固設される。尚、前記電源手段１１は、交流電源から電源を取り入れるための主電源用接続手段１４を導出している。
【００２２】
図示実施形態の場合、前記ソケット手段７を前記据付け手段１から突設し、前記プラグ手段８を前記保持手段３から突設する構成としている。以下、この図示実施形態の構成に基づいて説明するが、本発明は、図示とは反対に、ソケット手段７を保持手段３から突設し、プラグ手段８を据付け手段１から突設しても良く、要するに、据付け手段１と保持手段３の相互間において、挿脱自在なソケット手段７とプラグ手段８を相対向して突設した構成であれば良い。
【００２３】
前記ソケット手段７は、突出端の開口部から基端近傍の奥端部に向けて次第に径小とされたテーパ状の受孔１５を形成し、該受孔１５を形成する筒壁の周囲に位置して、反対に突出端から基端に向けて次第に径大とされたスカート部１６を設けた中空の二重筒を構成し、図３に示すように、二重筒の中空部に設けたボス部１７を介してビス１８等によりハウジング２のフランジ板９に取付固着される。
【００２４】
この際、図３に示すように、ソケット手段７は、壁面Ｗから垂直の横方向に延びる水平軸Ｈに対して、前記受孔１５の軸線を角度θ１とされた斜め上向きの横方向に延びる横軸Ｘに沿わせて取付固着され、これによりプラグ手段８を介してソケット手段７に搭載された保持手段３が保持する商品Ｍの正面を鉛直線Ｖに対して角度θ２のように斜め上向き姿勢となるように構成することが好ましい。
【００２５】
前記保持手段３を構成するケーシング４は、上部開口状の皿状形態に形成され、底部から中空筒状のプラグ手段８を一体に突設しており、該プラグ手段８は、基部から先端部に向けて次第に径小とされたテーパ状の突部１９を構成している。
【００２６】
図２に示すように、前記ケーシング４には、盗難警報装置２０が設けられる。盗難警報装置２０は、前記ケーシング４に嵌入固着された本体タグ部２１ａと、該本体タグ部２１ａからケーシング４の外部に延出されたミニタグ部２１ｂを備え、それぞれを両面接着テープ等の固着手段２２により商品Ｍの背面に固着され、それぞれの固着面に検知スイッチ２３を設けており、前記固着手段２２が商品Ｍから剥離されると、検知スイッチ２３が作動することにより警報音を発するように構成されている。
【００２７】
図示実施形態の場合、前記本体タグ部２１ａに索条の固着手段２４が設けられ、前記索条機構６から繰出された索条５の先端が固着される。
【００２８】
図３に示すように、索条機構６の巻取りハウジング１２には、巻取り力を蓄積するスプリング（図示省略）を備えたリール２５が内装され、索条５を該リール２５に巻回している。従って、索条５は、常時、巻取り方向に付勢されたリール２５により巻取られ、保持手段３を据付け手段１に向けて引き寄せるように牽引しており、索条５の先端部を引っ張ることにより前記巻取力に抗してリール２５を回転させたとき、索条５が繰出され、保持手段３を据付け手段１から引き離し可能とする。
【００２９】
ハウジング２のフランジ板９に取付固着されたソケット手段７のスカート部１６の側面、図例の場合、前記横軸Ｘの下方に位置する側面には、該側面に沿って合成樹脂製のガイド２６が設けられている。ガイド２６は、前記リール２５から延出する索条５を前記スカート部１６の側面に沿って案内するガイド路２６ａを形成すると共に、商品Ｍから導出されたＵＳＢケーブル等の導線２７を前記電源手段１１に導く通孔２６ｂを設けている。ガイド２６は、前記ハウジング２のフランジ板９に開設した嵌口２８に嵌着されるように構成され、前記索条５及び導線２７を前記嵌口２８に挿通した状態で、ガイド２６を嵌口２８に嵌着したとき、それぞれ切欠き状に形成されたガイド路２６ａと通孔２６ｂにそれぞれ索条５と導線２７が挿通されるように構成している。
【００３０】
図示実施形態の場合、前記ソケット手段７の先端部には、受孔１５の開口縁に沿う環状の額縁部材２９が重ね合わせられ、図３に示すように、孔と突起の嵌着手段３０により固着されている。額縁部材２９は、ゴム又はシリコン樹脂等のエラストマー、その他の弾性材により形成することが好ましく、その場合、プラグ手段８の突部１９をソケット手段７の受孔１５に挿入したとき、額縁部材２９が保持手段３を構成するケーシング４の底面を弾性的に受止める緩衝材として機能する。しかしながら、このような構成により本発明が限定されるものではない。
【００３１】
（姿勢制御手段）
前記受孔１５と突部１９は、相互に、ソケット手段７とプラグ手段８を軸心廻りの所定位置に整合させた状態でのみ嵌合するように横断面を楕円形又は多角形から選ばれた非真円形に形成した嵌合面３２、３３を形成しており、該嵌合面３２、３３は、ソケット手段７とプラグ手段８を前記所定位置から軸心廻りに偏位した状態で相互に挿入したとき、ソケット手段７とプラグ手段８を前記所定位置に向けて回動させる姿勢制御手段３４を構成している。
【００３２】
図６は、姿勢制御手段３４の第１実施例を示しており、この場合、受孔１５及び突部１９の横断面は、各辺及び各角を外向き円弧状に湾曲した丸みを有する三角形状に形成され、受孔１５の内周面に嵌合面３２を形成し、突部３３の外周面に嵌合面３３を形成している。従って、上述したテーパ形状との組合せにより、嵌合面３２、３３は丸みを有する三角錐形状に形成されている。この場合、前記軸心Ｃの軸廻りに関して、保持手段３は、保持した商品Ｍが鎖線で示す姿勢となる位置を所定位置Ｐ１とするように構成されている。そこで、図６（Ａ）に破線で示すように、所定位置Ｐ１から軸心廻りに姿勢を偏位した偏位位置Ｐ２とした状態で突部１９を受孔１５に挿入すると、挿入方向の前進に伴い、前記嵌合面３２、３３が相互に整合するように作用して突部１９を回動させ、挿入完了時には、図６（Ｂ）に示すように、所定位置Ｐ１となるように姿勢を制御する。これにより、商品Ｍは、所定位置Ｐ１に保持された状態で展示される。尚、図例の場合、横断面を丸みのある三角形とした例を示しているが、丸みを有する四角形状や五角形状のような多角形としても良い。
【００３３】
図７は、姿勢制御手段３４の第２実施例を示しており、この場合、受孔１５及び突部１９の横断面は、概ね楕円形状に形成され、受孔１５の内周面に嵌合面３２を形成し、突部３３の外周面に嵌合面３３を形成している。従って、上述したテーパ形状との組合せにより、嵌合面３２、３３は楕円錐形状に形成されている。この場合、前記軸心Ｃの軸廻りに関して、保持手段３は、保持した商品Ｍが鎖線で示す姿勢となる位置を所定位置Ｐ１とするように構成されている。そこで、図７（Ａ）に破線で示すように、所定位置Ｐ１から軸心廻りに姿勢を偏位した偏位位置Ｐ２とした状態で突部１９を受孔１５に挿入すると、挿入方向の前進に伴い、前記嵌合面３２、３３が相互に整合するように作用して突部１９を回動させ、挿入完了時には、図７（Ｂ）に示すように、所定位置Ｐ１となるように姿勢を制御する。これにより、商品Ｍは、所定位置Ｐ１に保持された状態で展示される。
【００３４】
従って、図３に示すように、プラグ手段８をソケット手段７に挿入することにより、商品Ｍの背面を保持した保持手段３を据付け手段１に搭載し、商品Ｍを展示した状態から、顧客が商品Ｍを手にとり、保持手段３を据付け手段１から引き離すと、図４に示すように、索条５が繰出され、保持手段３を据付け手段１に索条５により繋留した状態で、顧客が商品Ｍに手を触れることを許す。そこで、図５に示すように、顧客が商品Ｍを元の展示位置に戻すと、索条機構６により巻取られる索条５の牽引力を受ながら、プラグ手段８がソケット手段７に挿入される。この際、上述のように、無造作に偏位位置Ｐ２とした状態で戻されても、姿勢制御手段３４により所定位置Ｐ１を保持するように姿勢が制御されるので、戻された商品Ｍは、所望姿勢で再び展示される。
【００３５】
（係止手段）
プラグ手段８をソケット手段７に挿入した状態で、相互に嵌合された受孔１５と突部１９の嵌合面３２、３３には、商品Ｍの重量による下向き荷重が作用する。この際、上述のように、受孔１５及び突部１９は、角錐形状又は楕円錐形状に形成されたテーパ面を有するので、突部１９を受孔１５に対して不完全な状態で挿入すると、図８（Ａ）に示すように、前記下向き荷重を受けることにより突部１９が受孔１５から後退し、嵌合面３２、３３を離反させ、保持手段３が脱落するおそれがある。このため、図示のように、前記荷重によりソケット手段７とプラグ手段８が相互に屈折姿勢とされたとき、相互に近接する突部１９と受孔１５の対向部位を相互に抜止め係止する係止手段３５が設けられている。
【００３６】
図示実施形態の場合、係止手段３５は、図８（Ｂ）に示すように、突部１９の先端近傍部の外周から突設された係止爪３６と、前記額縁部材２９の内周から突設された受爪３７により構成されており、係止爪３６と受爪３７を相互に係止することにより、保持手段３の脱落を防止する。従って、落下衝撃による商品Ｍの破損が防止される。尚、係止爪３６と受爪３７が設けられる個所や、その形状や材質等は、特に限定されない。
【００３７】
ところで、係止手段３５を設けると、図９（Ａ）に示すように、プラグ手段８をソケット手段７から前記横軸Ｘに沿って引き抜くときに、係止手段３５が係止することにより引き抜き作業を妨げるおそれがある。このため、係止手段３５は、弾力を保持して係脱自在に係止する弾性係止手段を構成しており、弾力に抗してプラグ手段８をソケット手段７から引き抜き方向に移動させれば、該係止手段３５の係止を解くように構成されている。
【００３８】
図示構成の場合、上述のようにゴム又はシリコン樹脂等のエラストマーその他の弾性材により形成された額縁部材２９に受爪３７を一体成形し、受爪３７を弾性変形自在とすることにより、弾性係止手段を構成している。また、プラグ手段８を構成する突部１９の先端部にゴム又はシリコン樹脂等のエラストマーその他の弾性材により形成された先端部材３８を設け、該先端部材３８に係止爪３６を一体成形し、係止爪３６を弾性変形自在とすることにより、弾性係止手段を構成している。これにより、図９（Ｂ）（Ｃ）に示すように、係止手段３５が係止した状態で、プラグ手段８をソケット手段７から引き抜くと、前記係止爪３６及び／又は受爪３７が弾性変形することにより、係止を解くように構成されている。
【００３９】
因みに、図示実施形態では、係止爪３６と受爪３７の両者を弾性変形自在に構成しているが、その何れか一方だけを弾性変形自在となるように構成しても良い。また、係止手段３５が構成する弾性係止手段は、係止構造を弾性変形自在な素材により形成する他、例えば、スプリングにより突出方向に弾性付勢された出没自在なボールにより構成し、ボールが突出した状態で係止手段３５を係止させるが、プラグ手段８をソケット手段７から引き抜くときにボールがスプリングに抗して後退することにより係止手段３５の係止を解くように構成しても良い。
【００４０】
（係合手段）
上述のように、プラグ手段８をソケット手段７に挿入した状態で、相互に嵌合された受孔１５と突部１９の嵌合面３２、３３には、商品Ｍの重量による下向き荷重が作用するので、突部１９を受孔１５に対して完全に挿入した状態においても、テーパ状の嵌合面３２、３３が摺動することにより、突部１９が受孔１５から後退移動し、滑落するおそれがある。このため、図１０（Ａ）に示すように、受孔１５の奥端部と突部１９の先端部の相互に、前記下向き荷重に対抗する方向に向けて係合する係合手段３９を設け、該係合手段３９により、前記下向き荷重による嵌合面３２、３３の摺動を防止するように構成している。
【００４１】
図示実施形態の場合、係合手段３９は、図１０（Ｂ）に示すように、受孔１５の奥端部に形成された孔部４０と、突部１９の先端部に形成された軸部４１により構成され、前記孔部４０及び軸部４１の相互に、テーパが形成されておらず、前記横軸Ｘに沿って同径状態で延びる嵌合面を形成することにより構成されている。これにより、商品Ｍの下向き荷重Ｙを受けることにより、突部１９が斜め下向きの引き抜き方向Ｒに向けて後退しようとしても、横軸Ｘに沿う孔部４０と軸部４１の嵌合面が対抗し、突部１９引き抜き方向に向けて移動することを阻止できる。
【００４２】
この際、前記軸部４１は、突部１９の先端部に配設された弾性材から成る先端部材３８により形成しておけば、軸部４１を孔部４０に対して弾性摩擦を有する状態で嵌合させることができる。しかしながら、係合手段３９を構成する孔部４０と軸部４１の嵌合面は、必ずしも全周にわたり設ける必要はなく、部分的に設けたものでも良く、その形状や材質等を特に限定するものではない。
【符号の説明】
【００４３】
１  据付け手段
２  ハウジング
３  保持手段
４  ケーシング
５  索条
６  索条機構
７  ソケット手段
８  プラグ手段
９  フランジ板
１０  蓋部材
１１  電源手段
１２  巻取りハウジング
１３  ビス
１４  主電源用接続手段
１５  受孔
１６  スカート部
１７  ボス部
１８  ビス
１９  突部
２０  盗難警報装置
２１ａ  本体タグ部
２１ｂ  ミニタグ部
２２  固着手段
２３  検知スイッチ
２４  固着手段
２５  リール
２６ガイド
２６ａ  ガイド路
２６ｂ  通孔
２７  導線
２８  嵌口
２９  額縁部材
３０  嵌着手段
３２  嵌合面（受孔）
３３  嵌合面（突部）
３４  姿勢制御手段
３５  係止手段
３６  係止爪
３７  受爪
３８  先端部材
３９  係合手段
４０  孔部
４１  軸部
【図１】
2013042787.tif 000003
【図２】
2013042787.tif 000004
【図３】
2013042787.tif 000005
【図４】
2013042787.tif 000006
【図５】
2013042787.tif 000007
【図６】
2013042787.tif 000008
【図７】
2013042787.tif 000009
【図８】
2013042787.tif 000010
【図９】
2013042787.tif 000011
【図１０】
2013042787.tif 000012